(57)【要約】【課題】  ネクタイの装着に際して小剣部の通し部や差込片に対する取り扱いが容易で、またワイシャツに取付けた場合の装着感も良好とし、使用感全般について改善したネクタイ止め具を提供する。【解決手段】  中央が前面に膨出するようにアーチ状に湾曲してなる逆三角形状の本体と、該本体の上縁両側から斜め上方に延成した一対の差込片と、前記本体の前面に上下方向に開口すると共に、左右何れか一端を開放して設けたネクタイ小剣部の通し部と、前記本体の裏面に掛止片を下向きにして設けたフック部とからなる。また、双方の差込片は長さが異ならしめる。さらに、本体から糸部を垂下すると共に、この糸部の先端にネクタイ小剣部を折り返した状態に保持するクリップ部を設ける。フック部は、その掛止片先端が本体側に近接するように折曲してなる。【選択図】          図１
2007044176.tif 000002
【特許請求の範囲】
【請求項１】
中央が前面に膨出するようにアーチ状に湾曲してなる逆三角形状の本体と、該本体の上縁両側から斜め上方に延成した一対の差込片と、前記本体の前面に上下方向に開口すると共に、左右何れか一端を開放して設けたネクタイ小剣部の通し部と、前記本体の裏面に掛止片を下向きにして設けたフック部とからなることを特徴としたネクタイ止め具。
【請求項２】
双方の差込片は長さが異なる請求項１記載のネクタイ止め具。
【請求項３】
本体から糸部を垂下すると共に、この糸部の先端にネクタイ小剣部を折り返した状態に保持するクリップ部を設けた請求項１または２記載のネクタイ止め具。
【請求項４】
糸部は本体と一体成形される請求項３記載のネクタイ止め具。
【請求項５】
フック部は、その掛止片先端が本体側に近接するように折曲してなる請求項１から４のうち何れか一項記載のネクタイ止め具。
【請求項６】
フック部は、本体と接合される根元を湾曲してなる請求項１から５のうち何れか一項記載のネクタイ止め具。
【請求項７】
本体にネクタイ小剣部を縫合する小穴を設けた請求項１から６のうち何れか一項記載のネクタイ止め具。
【発明の詳細な説明】
【技術分野】
【０００１】
この発明は、結び目を形成した状態のネクタイをワイシャツに取付ける際に用いるネクタイ止め具に係り、より詳しくは使用性を向上させた改良構造に関するものである。
【背景技術】
【０００２】
従来から、安定して美麗な結び目を作るようにネクタイを結ぶため、また、地球の温暖化現象を解消する一反として、夏場における冷房の設定温度を適正化すべく、ノータイ等の軽装が励行されている近年にあって、ネクタイの脱着を容易に行うために、ネクタイ止め具があり、本出願人の一人も既にこの種ネクタイ止め具を開示している（特許文献１）。
【０００３】
即ち、前記特許文献１に開示のネクタイ止め具は、中央部が前面に向かって凸円弧状に湾曲した本体と、この本体の両側から斜め上方に突出する一対の差込片と、前記本体の前面に設けられ上下方向に開口するネクタイ通し部と、前記本体の裏面に設けられ本体から逆Ｕ字状に突出するフック部とを具備しており、本体の前面にネクタイ通し部を設けたため、ネクタイの結び目が程よく前方に膨出し、しかもネクタイ通し部にネクタイを通すことにより結び目が緩み難いものであった。さらに、それまでのネクタイ止め具専用のネクタイの場合には色柄等に制限があり、好みのネクタイを着用することができなかったが、市販のネクタイをそのままネクタイ止め具に結んで着用することができ、好みの色柄のネクタイを着用できるという利点があった。
【０００４】
【特許文献１】第３０６２８４９号登録実用新案公報
【発明の開示】
【発明が解決しようとする課題】
【０００５】
しかしながら、上記従来のネクタイ止め具にあっても、実際の使用上、いくつかの改善すべき点があった。その一つは、本体の前面に帯片状のネクタイ通し部を架設して上下方向の開口を形成しているが、大剣部の裏側にあってネクタイの小剣部のみを前記開口に通しにくいものであった。また、一対の差込片に対しては、順にネクタイが巻き付けられるが、後に巻き付けられるほうは、大剣部と小剣部の中間部から大剣部に向かってネクタイの幅が広くなっているため、慣れない利用者にとってはうまく差込片にネクタイを巻き付けることができないという課題もあった。
【０００６】
さらに、市販のネクタイをネクタイ止め具に適用した場合、小剣部に余剰ができるが、従来は小剣部を折り返して、ネクタイピン等により長さを調整した状態を保持するという手間があった。さらにまた、フック部はワイシャツの第一ボタン上ののど元に掛止されるが、この際、フック先端が喉に触れて違和感を覚えることがあった。また、この種ネクタイ止め具はプラスチック成型によりフック部、差込片を本体に一体に成形することが多いが、特にフック部について、その根元が折れやすいという課題も散見されたのである。
【０００７】
本発明は上述した課題に鑑みなされたもので、その目的とするところは、ネクタイの装着に際して小剣部の通し部や差込片に対する取り扱いが容易で、またワイシャツに取付けた場合の装着感も良好とし、使用感全般について改善したネクタイ止め具を提供することにある。
【課題を解決するための手段】
【０００８】
上述した目的を達成するために本発明では、中央が前面に膨出するようにアーチ状に湾曲してなる逆三角形状の本体と、該本体の上縁両側から斜め上方に延成した一対の差込片と、前記本体の前面に上下方向に開口すると共に、左右何れか一端を開放して設けたネクタイ小剣部の通し部と、前記本体の裏面に掛止片を下向きにして設けたフック部とからネクタイ止め具を構成した。
【０００９】
この手段によれば、ネクタイの表面を手前側にして小剣部をネクタイ通し部の上側を通し、その小剣部を引き上げて本体からの大剣部の長さを好みの長さに調節する。次に、大剣部と小剣部の中間部を左側の差込片に後側から前側に１回巻き付け、さらに本体の前面を覆うように横方向に渡して右側に導き、右側の差込片に前側から後側に１回巻き付ける。さらに、小剣部を本体の上辺部を通ってネクタイ通し部に通すと、大剣部が大剣部の裏側に重なってネクタイがネクタイ止め具に結ばれる。特に、ネクタイ通し部に小剣部を通す際、開放端側からネクタイ通し部の開口に小剣部を差し込むことができる。
【００１０】
また本発明では、双方の差込片の長さを異にし、例えば、後に小剣部が巻き付けられるほうの差込片を他方よりも長く延成することで、この巻き付け作業が行いやすく、また巻き付けたあとの差込片の先端を左右とも同じだけ露出させることができる。なお、何れの差込片を長くするかは自由で、例えば左利き用・右利き用によって何れを長くするかを決定することができる。
【００１１】
さらに本発明では、本体から糸部を垂下すると共に、この糸部の先端にネクタイ小剣部を折り返した状態に保持するクリップ部を設けたので、市販のネクタイに適用した際に発生する小剣部の余剰部分の始末を容易に行うことができる。なお、糸部は本体と別体に、例えば天蚕糸によって構成することができるが、本体と一体成形することも可能である。
【００１２】
また、フック部の掛止片先端を本体側に近接するように折曲することによって、フック先端が不用意に喉に触れることを防ぐことができる。
【００１３】
さらに、フック部の本体と接合される根元を湾曲して成型することによって、その弾性変形により前記根元が折損しにくくなる。
【００１４】
さらにまた、本体にネクタイ小剣部を縫合する小穴を設けたので、予め小剣部を短く設定したネクタイを結んだ状態で本止め具に一体とすることができる。
【発明の効果】
【００１５】
以上、本発明によれば、本体前面にネクタイ通し部を突出して設けたため、ネクタイの結び目が程よく前方に膨出すると共に、本体前面との間でネクタイ通し部によって小剣部を押さえられるため結び目が緩み難いという効果に加え、ネクタイ通し部に小剣部を差し込みやすいという効果がある。また、後に小剣部が巻き付けられるほうの差込片を他方よりも長く延成したので、この巻き付け作業が行いやすく、また巻き付けた後の差込片の先端を左右とも同じだけ露出させることができるため、差込片の襟元への挿入保持も、より確実なものとなる。
【００１６】
さらに、クリップ部によって小剣部の余剰部分を折り返した状態で容易に保持でき、また折り返し位置も一定させることができる。また、フック部の掛止片先端を本体側に近接したので、フック先端が喉に触れて違和感や痛みを感じることがなく、装着感に優れる。このフック部の根元を湾曲したものにあっては、その弾性変形により前記根元が折損しにくくなり、耐久性に優れた止め具とすることができる。
【００１７】
さらにまた、本体にネクタイ小剣部を縫合する小穴を設けたものにあっては、予め小剣部を短く設定したネクタイを結んだ状態で止め具に一体とした製品を容易に製造することができる。
【発明を実施するための最良の形態】
【００１８】
以下、本発明の好ましい実施の形態を添付した図面に従って説明する。図１はネクタイ止め具を示し、（ａ）は斜視図、（ｂ）は側面図、（ｃ）は平面図であり、図２はネクタイを結んだ状態の斜視図である。
【００１９】
ネクタイ止め具１は、例えばポリプロピレン等の合成樹脂材料によって成形され、その本体２は薄板状であり、略逆三角形状で、中央部２ａが前面に向かって凸円弧状に湾曲している。この中央部２ａは剛性を有しており、本体２の湾曲部が偏平状に変形しないように形成されている。さらに、本体２の両側部には斜め上方に角状に突出する一対の差込片３ａ，３ｂが一体に設けられ、本体２の上辺部２ｂ及び下辺部２ｃは略平坦に形成されている。ここで本発明では、通常、ネクタイ（大剣部と小剣部の中間部）の幅に合わせて３．５〜４ｃｍの長さに設定される差込片３ａ・３ｂのうち、一方の差込片３ｂを約０．５ｃｍ延成して、他方の差込片３ａよりも長く設定してる。
【００２０】
また、本体２の前面には湾曲する中央部２ａを横切るように湾曲した帯状片４が設けられ、この帯状片４の一端部４ａは本体２に熱融着等によって固着され、上下方向に開口すると共に、他端部４ｂが開放されたネクタイ通し部５が形成されている。また、本実施形態では、帯状片４の本体２に固着された一端部４ａは本体２の側縁寄りに固着する一方、開放された他端部４ｂは本体２の中央寄りに位置させることによって、後述するネクタイ通し部５へのネクタイの差し込み作業を容易にしている。
【００２１】
さらに、本体２の背面側には本体２の下辺部２ｃから上方に突出する逆Ｕ字状のフック部６が一体に設けられている。このフック部６は、掛止片６ａ先端が本体側に近接するように湾曲あるいは折曲されていると共に、本体２との接合部である根元６ｂを湾曲して形成している。
【００２２】
さらにまた、本体２には天蚕糸等の糸部７がフック部６の前記根元６ｂに止めて垂設され、この糸部７の先端にはクリップ部８が設けられている。糸部７は小剣部に余剰ができる場合に、本体２からその折り返し位置までの長さに設定することが好ましく、本実施形態では１５ｃｍ前後に設定している。また、本実施形態では糸部７を本体２と別体としているが、本体２と糸部７を一体的に成型することも可能である。一方、クリップ部８は、二つの挟持部８ａ・８ｂからなり、一方の挟持部８ａは小剣部の前記折り返し部を挟持するものである。さらに、他方の挟持部８ｂは、前記折り返し部を小剣部、大剣部、またはワイシャツに止めることで、小剣部が左右にずれて大剣部からはみ出ないようにするためのものである。なお、クリップ部８は、二つの挟持部８ａ・８ｂから構成する必要はなく、少なくとも小剣部の折り返し部を挟持するものであればよい。
【００２３】
次に、前述のように構成されたネクタイ止め具１にネクタイＮを結ぶ手順について説明する。まず、ネクタイＮは大剣部と小剣部の中間部Ｎ１と、幅の広い大剣部Ｎ２と、幅の狭い小剣部Ｎ３とからなる。
【００２４】
図１（ａ）に矢印で示すように、ネクタイＮの表面を手前側にして小剣部Ｎ３をネクタイ通し部５の上側（帯状片４の上）を通し、その小剣部Ｎ３を引き上げて本体２からの大剣部Ｎ２の長さを好みの長さに調節すると、中間部Ｎ１が本体２より上方に位置する。
【００２５】
次に、中間部Ｎ１を左側の差込片３ａに後側から前側に１回巻き付け、さらに本体２の前面を覆うように横方向に渡して右側に導き、右側の差込片３ｂに前側から後側に１回巻き付ける。さらに、小剣部Ｎ３を本体２の上辺部２ｂを通って、帯状片４の開放された他方端４ｂからネクタイ通し部５に差し込んだ状態で下に引っ張れば、小剣部Ｎ３が大剣部Ｎ２の裏側に重なってネクタイＮがネクタイ止め具１に結ばれる。
【００２６】
ネクタイ止め具１専用のネクタイの場合には通常の市販のネクタイより長さが短いため、小剣部Ｎ３の長さが程よいが、市販のネクタイの場合には人間の首回りの長さを考慮して長く形成されているため、前述のようにネクタイ止め具１に結んだときには、小剣部Ｎ３が大剣部Ｎ２より長く、余った状態となるが、余った小剣部Ｎ３を折り返して、この折り返し部を上述したクリップ部８によって止めることにより、小剣部Ｎ３を適度な長さにすることができる。
【００２７】
従って、左右の差込片３ａ，３ｂをワイシャツの左右の襟下に差し込み、フック部６をワイシャツの襟元と前首（喉）との間に差し込むことにより、ワンタッチでネクタイＮを着用でき、ネクタイＮの結び目で第１ボタンが隠れ、通常のネクタイ結びと同様の姿となる。
【００２８】
なお、図１において、９は本体２の左右２箇所に設けられた小穴であり、予め小剣部を短く設定したこの種止め具専用のネクタイについて、前記小剣部を本体２に縫合するためのものである。
【図面の簡単な説明】
【００２９】
【図１】本発明の一実施形態に係るネクタイ止め具を示し、（ａ）は斜視図、（ｂ）は側面図、（ｃ）は平面図
【図２】同実施形態におけるネクタイを結んだ状態の斜視図
【符号の説明】
【００３０】
１  ネクタイ止め具
２  本体
３ａ・３ｂ  差込片
４  帯状片
５  ネクタイ通し部
６  フック部
７  糸部
８  クリップ部
９  小穴
【図１】
2007044176.tif 000003
【図２】
2007044176.tif 000004